(57)【要約】【課題】各信号パスにおける入力信号の強度が時間の経過とともに変化する場合であっても、１回のパワーダウン状態である動作期間内に、その強度が高い入力信号を入力されている信号パスを選択することのできるＬＦ受信回路を提供する。【解決手段】制御回路１３０´は、ＬＦ受信回路１０の各回路の１回のパワーアップ状態の動作期間内（１回のパスサーチ動作期間）において、複数の信号パスのうちの１つの信号パスが選択（パスサーチ）され、判定回路１２２´による判定処理後、さらに別の１つの信号パスが選択されるように制御する。同時に、制御回路１３０´は、復調回路１２１により復調された信号が正しいと判定回路１２２´により判定された時、その時点で信号パス選択回路１１１により選択されている信号パスがそのまま選択され続けるように制御する。【選択図】図１
2013097729.tif 000002
【特許請求の範囲】
【請求項１】
複数の入力信号がそれぞれ入力される複数の信号パスのうちのいずれか１つの信号パスを選択する信号パス選択回路と、
前記信号パス選択回路により選択された信号パスを介して入力された入力信号を増幅する増幅回路と、
前記増幅回路により増幅された信号を復調する復調回路と、
前記復調回路により復調された信号に基づいて、前記信号パス選択回路により選択されている信号パスを介して入力信号が入力されているか否かを判定する判定回路と、
前記各回路を一定時間毎にパワーアップ状態にするとともに、前記信号パス選択回路により前記複数の信号パスのうちのいずれか１つのパスが選択されるように制御する制御回路と
を備え、
前記制御回路は、
１回のパワーアップ動作状態である期間内において、前記複数の信号パスのうちの１つの信号パスが選択され、前記判定回路による判定処理後、前記複数の信号パスのうちの別の１つの信号パスが選択されるように制御しつつ、
前記信号パス選択回路により選択されている信号パスを介して入力信号が入力されていると前記判定回路により判定された時には、その時点で前記信号パス選択回路により選択されている信号パスがそのまま選択され続けるように制御することを特徴とする受信回路。
【請求項２】
前記制御回路は、
前記信号パス選択するための信号パス選択信号を出力する信号パス選択信号出力部と、
前記信号パス選択信号出力部により既に選択された信号パスを記憶する選択済み信号パス記憶部と
を備えることを特徴とする請求項１に記載の受信回路。
【請求項３】
前記制御回路は、
スタートアップ信号を入力した時、またはパワーダウンを指示する制御信号を出力した時から経過した時間をカウントするカウンタと、
前記カウンタによりカウントされた時間が所定の時間になった時にパワーアップを指示する制御信号を出力するとともに、前記信号パス選択回路により選択されている信号パスを介して入力信号が入力されていないと前記判定回路により判定された時にパワーダウンを指示する制御信号を出力するパワー制御信号出力部と
を備え、
前記パワー制御信号出力部は、
前記信号パス選択信号出力部から出力された信号パス選択信号によって、１回のパワーアップ動作状態である期間内において、前記複数の信号パスの別の１つの信号パスが選択された後、
前記判定回路から出力された判定結果信号に基づいて、その時点で選択されている信号パスから入力信号が入力されなかった、または入力されなくなったと判断した時、
パワーダウンを指示する制御信号を出力することを特徴とする請求項２に記載の受信回路。
【請求項４】
前記判定回路は、
前記復調回路により復調された信号と参照信号とを比較することにより、前記信号パス選択回路により選択されている信号パスを介して入力信号が入力されているか否かを判定することを特徴とする請求項１〜３のいずれか１項に記載の受信回路。
【請求項５】
信号パス選択回路が、複数の入力信号がそれぞれ入力される複数の信号パスのうちのいずれか１つの信号パスを選択する信号パス選択ステップと、
増幅回路が、前記信号パス選択ステップにより選択された信号パスを介して入力された入力信号を増幅する増幅ステップと、
復調回路が、前記増幅ステップにより増幅された信号を復調する復調ステップと、
判定回路が、前記復調ステップにより復調された信号に基づいて、前記信号パス選択ステップにより選択されている信号パスを介して入力信号が入力されているか否かを判定する判定ステップと、
制御回路が、前記各回路を一定時間毎にパワーアップ状態にするとともに、前記信号パス選択ステップにより前記複数の信号パスのうちのいずれか１つのパスが選択されるように制御する制御ステップと
を有し、
前記制御ステップにおいては、
１回のパワーアップ動作状態である期間内において、前記複数の信号パスのうちの１つの信号パスが選択され、前記判定回路による判定処理後、前記複数の信号パスのうちの別の１つの信号パスが選択されるように制御しつつ、
前記信号パス選択ステップにより選択されている信号パスを介して入力信号が入力されていると前記判定ステップにより判定された時には、その時点で前記信号パス選択ステップにより選択されている信号パスがそのまま選択され続けるように制御することを特徴とする受信回路の制御方法。
【発明の詳細な説明】
【技術分野】
【０００１】
本発明は、受信回路および受信回路の制御方法に関し、特に入退出管理システム等の装置内部のＩＣ（Ｉｎｔｅｇｒａｔｅｄ  Ｃｉｒｃｕｉｔ）等として用いられるＬＦ受信回路および受信回路の制御方法に関する。
【背景技術】
【０００２】
タグを用いた各種の管理システムがあるが、その一つとして、オフィスやセキュリティールーム等の入退室管理を行う入退室管理システムがある。このような入退室管理システムでは、例えば入退室を行うタグを持った人がドアの前に立った時に、例えばドア付近に設けられたリーダがタグに書き込まれている情報を読み取る。そして、入退室管理システムにおいて、その読みとられた情報から、タグを持った人が入退室が許可されている人であるか否かを判断し、そのドアのロックを解錠する。
【０００３】
従って、入退室管理システムにおいては、タグを持った人が入退室の際にドアの前に立つ瞬間を常にモニターし続けている必要がある。このため、入退室管理システムでは、一定の時間毎に内部回路がパワーダウン状態（非測定状態）からパワーアップ状態（測定状態）にウェイクアップし、入退室を行う人が持っているタグからの信号を選択（サーチ）するための回路として、例えば、下記の特許文献１のＬＦ（Ｌｏｗ  Ｆｒｅｑｕｅｎｃｙ）受信回路が用いられている。
【０００４】
図５は、従来の一般的なＬＦ受信回路１００の回路構成を示す図である。
図５に示すＬＦ受信回路１００は、入力された微小な入力信号である振幅偏移変調（Ａｍｐｌｉｔｕｄｅ  Ｓｈｉｆｔ  Ｋｅｙｉｎｇ；ＡＳＫ）信号を増幅するゲイン段１１０と、増幅されたＡＳＫ信号を復調する復調段１２０と、各段の各回路を統括して制御する制御回路１３０とを備えて構成される。
【０００５】
まず、ゲイン段１１０は、複数の信号パスＰ１〜Ｐ３を有する信号パス選択回路１１１と、入力されたＡＳＫ信号を所定のゲインで増幅するゲインアンプ１１２とを備える。
信号パス選択回路１１１は、複数の信号パスＰ１〜Ｐ３を有しており、信号パスＰ１〜Ｐ３のうちのいずれか１つの信号パスを選択する。信号パス選択回路１１１には、信号パスＰ１〜Ｐ３を介して、ＡＳＫ信号としてＩｎｐｕｔ１信号〜Ｉｎｐｕｔ３信号それぞれが入力される。そして、信号パス選択回路１１１は、選択された信号パスを介して、Ｉｎｐｕｔ１信号〜Ｉｎｐｕｔ３信号のうちのいずれか１つの信号をゲインアンプ１１２に出力する。
【０００６】
なお、信号パス選択回路１１１は、複数の信号パスＰ１〜Ｐ３を選択するための信号パス選択用スイッチング素子１１１ａ〜１１１ｃを備えている。例えば、信号パス選択用スイッチング素子１１１ａは、制御回路１３０から出力されたＰａｔｈ１信号がＨレベルである時に導通状態がオン状態になり、Ｐａｔｈ１信号がＬレベルである時に導通状態がオフ状態になる。Ｐａｔｈ１信号がＨレベルになって信号パスＰ１が選択されると、信号パス選択回路１１１からＡＳＫ信号（Ｉｎｐｕｔ１信号）が出力される。
【０００７】
また、信号パス選択用スイッチング素子１１１ｂ，１１１ｃの導通状態のオンオフ動作についても、Ｐａｔｈ２信号およびＰａｔｈ３信号のレベルに応じて、信号パス選択用スイッチング素子１１１ａと同様に切り替わる。Ｐａｔｈ２信号がＬレベルからＨレベルになって、信号パス選択用スイッチング素子１１１ｂがオン状態になれば、信号パス選択回路１１１からＡＳＫ信号（Ｉｎｐｕｔ２信号）が出力される。また、Ｐａｔｈ３信号がＬレベルからＨレベルになって、信号パス選択用スイッチング素子１１１ｃがオン状態になれば、信号パス選択回路１１１からＡＳＫ信号（Ｉｎｐｕｔ３信号）が出力される。
【０００８】
また、ゲイン段１１０の後段の復調段１２０は、増幅されたＡＳＫ信号を復調する復調器１２１と、復調器１２１により復調された信号が予め決められた所定のコードと同じであるか否かを判定する判定回路１２２とを備える。
また、制御回路１３０は、判定回路１２２により判定された判定結果に基づいて、信号パス選択回路１１１の各信号パス選択用スイッチング素子の導通状態を切り替えたり、ＬＦ受信回路１００の各回路の動作状態をパワーアップ状態またはパワーダウン状態（非測定状態）のいずれかに切り替えたりする制御を行う。
【０００９】
つまり、上記のＬＦ受信回路１００は、まず、信号パスＰ１〜Ｐ３のいずれか１つの信号パスから入力されたＡＳＫ信号を検知し、ＡＳＫ信号をコードに復調する。そして、ＬＦ受信回路１００は、復調されたコードが予め決められたコードと同じであるか否かを判定して、その結果に応じて信号が入力されたことを回路外部（例えば、入退出管理システムのドア施錠装置等）に出力する。
【００１０】
上記で説明した通り、ＬＦ受信回路１００は、タグを持った人が入退室の際にドアの前に立つ瞬間を常にモニターし続けている必要がある。このため、ＬＦ受信回路１００は、一定の時間毎に内部回路がパワーアップ状態になって、入退室を行う人が持っているタグからの信号をサーチしている。
図６は、ＬＦ受信回路１００の各信号の強度（信号の有無）、各信号のレベル、および各回路の状態を示すタイミングチャートである。図６に示すように、ＬＦ受信回路１００においては、信号パスをそれぞれ一定間隔でサーチする方法を用いていた。例えば、ＬＦ受信回路１００においては、一定の時間間隔でパワーアップ状態になる度に、信号パスＰ１、信号パスＰ２、信号パスＰ３、信号パスＰ１、……の順番で信号パスが選択されて、入力信号を検知する。このパワーアップ状態にする時間間隔は、制御回路１３０内部のプログラマブル等に設定することができるようになっていることが多く、具体的には、通常数１００（μｓ）程度である。つまり、ＬＦ受信回路１００の各回路の動作状態は、パワーアップ状態からパワーダウン状態（非測定状態）に遷移し、数１００（μｓ）程度経過すると、再びパワーダウン状態からパワーアップ状態に遷移する。
【００１１】
そして、ＬＦ受信回路１００は、各信号パスを介して入力信号をセンシング、つまり入力信号を検知し、入力信号の強度を測定し、信号が予め決められた所定のコードか否かを判定することにより、信号が入力されている（信号の強度が強い）信号パスを選択する。
各信号パスには、ＡＳＫ信号（Ｉｎｐｕｔ１信号〜Ｉｎｐｕｔ３信号）がそれぞれ入力される。図６中のタイミングチャートにおいて、ＡＳＫ信号（Ｉｎｐｕｔ１信号〜Ｉｎｐｕｔ３信号）の強度部分に「信号あり」と記載された部分は、信号が入力されている（信号の強度が強い）ことを表している。一方、「信号あり」と記載されていない部分は、信号が入力されていない（信号の強度が弱い）ことを表している。
【００１２】
始めに、制御回路１３０は、Ｓｔａｒｔ信号をＬレベルからＨレベルに切り替えて出力する。Ｓｔａｒｔ信号がＬレベルからＨレベルになると、制御回路１３０の内部のあるここでは図示しないカウンタが、値をカウントし始める。制御回路１３０は、カウントされた値（カウント値）が所定の値になると、ＰｏｗｅｒＵｐ／ＰｏｗｅｒＤｏｗｎ信号をＬレベルからＨレベルに切り替えて出力する。同時に、制御回路１３０は、Ｐａｔｈ１信号をＬレベルからＨレベルに切り替えて出力する。
【００１３】
これにより、ＬＦ受信回路１００の各回路は、パワーダウン状態からパワーアップ状態になる。すると、信号パス選択回路１１１においては、信号パス選択用スイッチング素子１１１ａがＰａｔｈ１信号によりオフ状態からオン状態に切り替わり、Ｐａｔｈ１が選択される。そして、ＬＦ受信回路１００は、Ｐａｔｈ１を介して入力されるＡＳＫ信号（Ｉｎｐｕｔ１信号）の測定を開始する。
【００１４】
ゲイン段１１０は、信号パスＰ１からのＡＳＫ信号（Ｉｎｐｕｔ１）を増幅して、増幅信号であるＡＭＰＯＵＴ信号を出力する。復調器１２１は、ＡＭＰＯＵＴ信号を入力し、ＡＭＰＯＵＴ信号の復調を行う。そして、復調器１２１は、復調信号であるＤＥＭＯＵＴ信号を出力する。
判定回路１２２は、予め決められた参照信号（参照コード）であるＲｅｆｒｅｎｃｅコードとＤＥＭＯＵＴ信号とを比較し、それらが同じならば、信号が入力された（信号の強度が強い）と判定する。そして、判定回路１２２は、判定結果信号であるＯＵＴ信号をＨレベルからＬレベルに切り替えて出力する。
【００１５】
制御回路１３０は、判定結果信号であるＯＵＴ信号を入力すると、ＰｏｗｅｒＵｐ／ＰｏｗｅｒＤｏｗｎ信号をＨレベルのままに維持し、同時に、Ｐａｔｈ１信号をＨレベルのままに維持する。このとき、ＰｏｗｅｒＵｐ／ＰｏｗｅｒＤｏｗｎ信号がＨレベルのままであるため、ＬＦ受信回路１００の各回路はパワーアップ状態のままである。また、Ｐａｔｈ１信号もＨレベルであるため、信号パスＰ１が選択されたままである。そして、ゲイン段１１０は、信号パスＰ１からのＡＳＫ信号（Ｉｎｐｕｔ１）を増幅し、復調器１２１は、ＡＳＫ信号（Ｉｎｐｕｔ１）の増幅信号を復調し続ける。
【００１６】
そして、ＡＳＫ信号（Ｉｎｐｕｔ１）が入力されなくなる（信号の強度が弱くなる）と、判定回路１２１は、復調されたコードであるＤＥＭＯＵＴ信号と予め決められたコードであるＲｅｆｒｅｎｃｅコードとを比較して、信号が入力されていない（信号の強度が弱い）と判定し、判定結果信号であるＯＵＴ信号をＨレベルからＬレベルに切り替えて出力する。
【００１７】
制御回路１３０は、判定結果信号であるＯＵＴ信号がＬレベルになったことより、ＰｏｗｅｒＵｐ／ＰｏｗｅｒＤｏｗｎ信号をＨレベルからＬレベルに切り替えて出力する。同時に、制御回路１３０は、Ｐａｔｈ１信号をＨレベルからＬレベルに切り替えて出力する。このとき、ＬＦ受信回路１００の各回路は、ＰｏｗｅｒＵｐ／ＰｏｗｅｒＤｏｗｎ信号によりパワーアップ状態からパワーダウン状態になり、信号パス選択用スイッチング素子１１１ａの導通状態は、Ｐａｔｈ１信号によりオン状態からオフ状態になる。ここで、制御回路１３０は、カウントしていたカウント値を一旦リセットし、新たにカウントし始める。
【００１８】
そして、制御回路１３０は、カウントしているカウンタ値が再び所定の値になった時に、ＰｏｗｅｒＵｐ／ＰｏｗｅｒＤｏｗｎ信号がＬレベルからＨレベルに切り替えて出力する。同時に、制御回路１３０は、Ｐａｔｈ２信号をＬレベルからＨレベルに切り替えて出力する。
すると、信号パスＰ１が選択されていた時と同様に、ＰｏｗｅｒＵｐ／ＰｏｗｅｒＤｏｗｎ信号がＨレベルになったことより、ＬＦ受信回路１００の各回路はパワーアップ状態になる。また、Ｐａｔｈ２信号がＨレベルになったことにより、信号パス選択用スイッチング素子１１１ｂの導通状態がオン状態になり、信号パスＰ２が選択される。このため、ＬＦ受信回路１００は、信号パスＰ２を介して入力されるＡＳＫ信号（Ｉｎｐｕｔ２信号）の測定を開始する。
【００１９】
そして、信号パスＰ２からのＡＳＫ信号（Ｉｎｐｕｔ２）を増幅して、増幅信号であるＡＭＰＯＵＴ信号を出力する。復調器１２１は、ＡＭＰＯＵＴ信号を入力し、そのＡＭＰＯＵＴ信号を復調する。
【先行技術文献】
【特許文献】
【００２０】
【特許文献１】特開２００６−１０９１０５号公報
【発明の概要】
【発明が解決しようとする課題】
【００２１】
しかしながら、ＡＳＫ信号（Ｉｎｐｕｔ２）の信号が入力されていない、つまりＡＳＫ信号（Ｉｎｐｕｔ２）の強度が弱い場合には、復調器１２１は、予め決められたコードであるＲｅｆｒｅｎｃｅコードと同じになるはずのＤＥＭＯＵＴ信号を生成することができない。従って、判定回路１２２は、信号が入力されていない、つまりＡＳＫ信号（Ｉｎｐｕｔ２）の強度が弱いと判定し、判定結果信号であるＯＵＴ信号をＬレベルで出力する。すると、制御回路１３０は、判定結果信号ＯＵＴがＬレベルであることによって、ＰｏｗｅｒＵｐ／ＰｏｗｅｒＤｏｗｎ信号をすぐさまＨレベルからＬレベルに切り替えて出力すると同時に、Ｐａｔｈ２信号をＨレベルからＬレベルに切り替えて出力する。
【００２２】
このため、ＬＦ受信回路１００の各回路は、ＰｏｗｅｒＵｐ／ＰｏｗｅｒＤｏｗｎ信号によりパワーダウン状態になってしまう。このとき、図６に示すように、ＡＳＫ信号（Ｉｎｐｕｔ３）の信号が入力されている、つまりＡＳＫ信号（Ｉｎｐｕｔ３）の強度が強い。本来であれば、ＬＦ受信回路１００は、信号パスＰ３を介して入力されるＡＳＫ信号（Ｉｎｐｕｔ３信号）の測定を開始する必要がある。しかしながら、ＬＦ受信回路１００は、信号パスＰ３を選択せず、本来検知すべき強度が強いＡＳＫ信号（Ｉｎｐｕｔ３信号）の測定をしないまま、処理を終了してしまうことがあった。
【００２３】
このように、複数の信号パスから入力されるＡＳＫ信号の強度が時間の経過とともに変化する場合には、パワーアップ状態になる度に、複数の信号パスを順番に１つだけ選択していくのでは、本来検知すべき強度が強い入力信号を正しく検知することなく処理を終了してしまうことがあった。
そこで、本発明は、上記の課題に鑑み、各信号パスにおける入力信号の強度が時間の経過とともに変化する場合であっても、１回のパワーダウン状態である動作期間内に、その強度が高い入力信号を入力されている信号パスを選択することのできるＬＦ受信回路を提供することを目的とする。
【課題を解決するための手段】
【００２４】
本発明による受信回路および受信回路の制御方法は、上記の目的を達成するために、次のように構成される。
本発明のある態様による受信回路は、複数の入力信号がそれぞれ入力される複数の信号パスのうちのいずれか１つの信号パスを選択する信号パス選択回路と、前記信号パス選択回路により選択された信号パスを介して入力された入力信号を増幅する増幅回路と、前記増幅回路により増幅された信号を復調する復調回路と、前記復調回路により復調された信号に基づいて、前記信号パス選択回路により選択されている信号パスを介して入力信号が入力されているか否かを判定する判定回路と、前記各回路を一定時間毎にパワーアップ状態にするとともに、前記信号パス選択回路により前記複数の信号パスのうちのいずれか１つのパスが選択されるように制御する制御回路とを備え、前記制御回路は、１回のパワーアップ動作状態である期間内において、前記複数の信号パスのうちの１つの信号パスが選択され、前記判定回路による判定処理後、前記複数の信号パスのうちの別の１つの信号パスが選択されるように制御しつつ、前記信号パス選択回路により選択されている信号パスを介して入力信号が入力されていると前記判定回路により判定された時には、その時点で前記信号パス選択回路により選択されている信号パスがそのまま選択され続けるように制御することを特徴とする。
【００２５】
上記の受信回路によれば、制御回路が、受信回路の各回路の１回のパワーアップ状態の動作期間内（１回のパスサーチ動作期間）において、複数の信号パスのうちの１つの信号パスが選択（パスサーチ）され、判定回路による判定処理後に、さらに別の１つの信号パスが選択されるように制御する。また、制御回路が、信号パス選択回路により選択されている信号パスを介して入力信号が入力されていると判定回路により判定された時には、その時点で信号パス選択回路により選択されている信号パスがそのまま選択され続けるように制御する。
【００２６】
これにより、各パスにおける入力信号の強度が時間の経過とともに変化したとしても、その強度が高い入力信号を入力する信号パスを選択することが可能となる。
本発明のある態様による受信回路は、前記制御回路は、前記信号パス選択するための信号パス選択信号を出力する信号パス選択信号出力部と、前記信号パス選択信号出力部により既に選択された信号パスを記憶する選択済み信号パス記憶部とを備えることを特徴とする。
【００２７】
上記の受信回路によれば、制御回路が複数の信号パスのうちの別の１つの信号パスが選択（パスサーチ）されるように制御する際、選択済み信号パス記憶部が信号パス選択信号出力部により既に選択された信号パスを記憶しておく。そして、制御回路が、選択済み信号パス記憶部に記憶されている既に選択された信号パス以外の信号パスを順次選択するように、信号パス選択信号出力部は、その信号パス選択するための信号パス選択信号を出力する。
これにより、制御回路は、一動作期間内において、複数の信号パスのうちの別の１つの信号パスが選択され、さらにその後、別のパスが選択されるように制御することが可能となる。
【００２８】
本発明のある態様による受信回路は、前記制御回路は、スタートアップ信号を入力した時、またはパワーダウンを指示する制御信号を出力した時から経過した時間をカウントするカウンタと、前記カウンタによりカウントされた時間が所定の時間になった時にパワーアップを指示する制御信号を出力するとともに、前記信号パス選択回路により選択されている信号パスを介して入力信号が入力されていないと前記判定回路により判定された時にパワーダウンを指示する制御信号を出力するパワー制御信号出力部とを備え、前記パワー制御信号出力部は、前記信号パス選択信号出力部から出力された信号パス選択信号によって、１回のパワーアップ動作状態である期間内において、前記複数の信号パスの別の１つの信号パスが選択された後、前記判定回路から出力された判定結果信号に基づいて、当該信号パスから入力信号が入力されなかった、または入力されなくなったと判断した時、パワーダウンを指示する制御信号を出力することを特徴とする。
【００２９】
上記の受信回路によれば、パワー制御信号出力部が、カウンタによりカウントされた時間が所定の時間になった時にパワーアップを指示する制御信号を出力するとともに、判定回路により判定された結果を受けた時にパワーダウンを指示する制御信号を出力する。但し、制御回路が、複数の信号パスのうちの別の１つの信号パスが選択（パスサーチ）されるように制御している。このため、パワー制御信号出力部は、１回のパワーアップ状態の動作期間内、つまりパスサーチの動作が間欠する一動作期間内のパスサーチをしている中で、入力信号が入力されなかった（入力信号の強度が弱かった）、または入力されなくなった（入力信号の強度が弱くなった）と判断したら、パワーダウンを指示する制御信号を出力する。
【００３０】
これにより、間欠動作の一動作期間内において、複数の信号パスのうちの別の１つの信号パスが選択される処理の中で、パワー制御信号出力部は、入力信号が入力されなかった、または入力されなくなったと判断した時、受信回路の各回路をパワーダウンさせることが可能となる。
本発明のある態様による受信回路は、前記判定回路は、前記復調回路により復調された信号と参照信号とを比較することにより、前記信号パス選択回路により選択されている信号パスを介して入力信号が入力されているか否かを判定することを特徴とする。
【００３１】
上記の受信回路によれば、判定回路は、復調回路により復調された信号（コード）と参照信号（コード）とを比較することにより、その２つの信号が同じである間、信号パス選択回路により選択されている信号パスを介して入力信号が入力されていると判定することが可能となる。
【００３２】
本発明のある態様による受信回路の制御方法は、信号パス選択回路が、複数の入力信号がそれぞれ入力される複数の信号パスのうちのいずれか１つの信号パスを選択する信号パス選択ステップと、増幅回路が、前記信号パス選択ステップにより選択された信号パスを介して入力された入力信号を増幅する増幅ステップと、復調回路が、前記増幅ステップにより増幅された信号を復調する復調ステップと、判定回路が、前記復調ステップにより復調された信号に基づいて、前記信号パス選択ステップにより選択されている信号パスを介して入力信号が入力されているか否かを判定する判定ステップと、制御回路が、前記各回路を一定時間毎にパワーアップ状態にするとともに、前記信号パス選択ステップにより前記複数の信号パスのうちのいずれか１つのパスが選択されるように制御する制御ステップとを有し、前記制御ステップにおいては、１回のパワーアップ動作状態である期間内において、前記複数の信号パスのうちの１つの信号パスが選択され、前記判定回路による判定処理後、前記複数の信号パスのうちの別の１つの信号パスが選択されるように制御しつつ、前記信号パス選択ステップにより選択されている信号パスを介して入力信号が入力されていると前記判定ステップにより判定された時には、その時点で前記信号パス選択ステップにより選択されている信号パスがそのまま選択され続けるように制御することを特徴とする。
【００３３】
上記の受信回路の制御方法によれば、各回路部が上記の各ステップを実行することによって、上記で説明したように、各パスにおける入力信号の強度が時間の経過とともに変化したとしても、その強度が高い入力信号を入力する信号パスを選択することが可能となる。
【発明の効果】
【００３４】
本発明の受信回路および受信回路の制御方法によれば、制御回路が、受信回路の各回路の１回のパワーアップ状態の動作期間内（１回のパスサーチ動作期間）において、複数の信号パスのうちの１つの信号パスが選択（パスサーチ）され、判定回路による判定処理後、複数ある信号パスのうちの別の１つの信号パスが選択（パスサーチ）されるように制御しつつ、選択中の信号パスから信号が入力されている時にはその選択中の信号パスがそのまま選択され続けるように制御する。
【００３５】
これにより、各信号パスにおける入力信号の強度が時間の経過とともに変化する場合であっても、その強度が高い入力信号が入力されている信号パスを確実に選択することできる。故に、パワーアップ状態になる度に、複数の信号パスを順番に１つだけ選択していく場合よりも、本来センシングするべき入力信号（ＡＳＫ信号）の検知率を高めることができる。
【図面の簡単な説明】
【００３６】
【図１】本発明の実施形態に係るＬＦ受信回路１０の回路構成を示す回路図である。
【図２】制御回路１３０´の回路構成を説明するブロック図である。
【図３】判定回路１２２´の回路構成を説明するブロック図である。
【図４】ＬＦ受信回路１０の各信号の強度（信号の有無）、各信号のレベル、および各回路の状態を示すタイミングチャートである。
【図５】従来の一般的なＬＦ受信回路１００の回路構成を示す回路図である。
【図６】ＬＦ受信回路１００の各信号の強度（信号の有無）、各信号のレベル、および各回路の状態を示すタイミングチャートである。
【発明を実施するための形態】
【００３７】
以下に、添付した図面を参照しながら、本発明の受信回路および受信回路の制御方法の好適な実施の形態を詳細に説明にする。
（ＬＦ受信回路１０の回路構成）
まず、図１を参照して、本発明の本実施形態に係るＬＦ受信回路１０の回路構成を説明する。
図１に示すＬＦ受信回路１０は、図５に示したＬＦ受信回路１００と同様に、入力された微小な入力信号（ＡＳＫ信号）を増幅するゲイン段１１０と、その増幅されたＡＳＫ信号を復調する復調段１２０と、各段の各回路部を統括して制御する制御回路１３０とを備えて構成される。このように、ＬＦ受信回路１０においても、図５に示した従来のＬＦ受信回路１００を構成する回路部と同じ要部を有しており、ＬＦ受信回路１０の回路構成は、基本的にＬＦ受信回路１００の回路構成と同じである。
【００３８】
しかしながら、ＬＦ受信回路１０は、判定回路１２２の代わりに、判定回路１２２と回路構成・動作の異なる判定回路１２２´を有している。さらに、ＬＦ受信回路１０は、制御回路１３０の代わりに、制御回路１３０と回路構成・動作の異なる制御回路１３０´を有している。ＬＦ受信回路１０は、これらの点でＬＦ受信回路１００と相違する。
なお、判定回路１２２´および制御回路１３０´の回路構成や、ＬＦ受信回路１０の回路全体の動作については、この後具体的に説明する。
【００３９】
（制御回路１３０´の回路構成）
最初に、図２を参照して、制御回路１３０´の回路構成について説明する。
図２は、制御回路１３０´の回路構成を説明するブロック図である。図２に示す制御回路１３０´は、カウンタ１３１と、シーケンサ１３２とを備えて構成される。
カウンタ１３１は、ＬＦ受信回路１０の外部から入力されるＳｔａｒｔ信号を受けて、値をカウントする動作を開始する。また、カウンタ１３１は、パワー制御部１３５が、ＬＦ受信回路１０の各回路をパワーダウンするためにＰｏｗｅｒＵｐ／ＰｏｗｅｒＤｏｗｎ信号を出力したときに、カウント値をリセットしてからカウントする動作を再開する。
【００４０】
シーケンサ１３２は、パス選択制御部１３３と、選択済パス記憶部１３４と、パワー制御部１３５とを備えて構成される。
パス選択制御部１３３は、カウンタ１３１のカウンタ値と、判定結果信号であるＯＵＴ信号のレベルに応じて、信号パスＰ１〜Ｐ３を選択するためのＰａｔｈ１信号、Ｐａｔｈ２信号、およびＰａｔｈ３信号を生成する。そして、パス選択制御部１３３は、そのＰａｔｈ１信号、Ｐａｔｈ２信号、およびＰａｔｈ３信号によって、信号パスＰ１〜Ｐ３を選択する制御を行う。
【００４１】
選択済パス記憶部１３４は、ＬＦ受信回路１０の各回路の１回のパワーアップ状態の動作期間内（１回のパスサーチ動作期間）において、既に選択された信号パスを一時的に保持する。これにより、パス選択制御部１３３は、間欠している１回のパワーアップ状態の動作期間内において、複数ある信号パスのうちの１つの信号パスが選択され、判定回路１２２´による判定処理後、さらに、複数の信号パスのうちの別の１つの信号パスが選択（パスサーチ）されるように制御する。同時に、パス選択制御部１３３は、いずれかの信号パスから信号が入力されている時には、その時点で選択されている信号パスがそのまま選択され続けるように制御する。
【００４２】
パワー制御部１３５は、カウンタ１３１のカウンタ値と、判定結果信号であるＯＵＴ信号のレベルとに応じて、ゲインアンプ１１２、復調器１２１および判定回路１２２´をパワーアップ状態またはパワーダウン状態のいずれかの状態に切り替えるためのＰｏｗｅｒＵｐ／ＰｏｗｅｒＤｏｗｎ信号を生成する。そして、パワー制御部１３５は、そのＰｏｗｅｒＵｐ／ＰｏｗｅｒＤｏｗｎ信号によって、ゲインアンプ１１２、復調器１２１および判定回路１２２´の各動作状態を制御する。
【００４３】
（判定回路１２２´の回路構成）
続いて、図３を参照して、判定回路１２２´の回路構成について説明する。
図３は、判定回路１２２´の回路構成を説明するブロック図である。図３に示す判定回路１２２´は、フリップフロップ（ＦＦ）回路１４１ａ〜１４１ｄと、ＡＮＤ回路１４２ａ〜１４２ｅとを備えて構成される。
ＦＦ回路１４１ａ〜１４１ｄは、図３に示すように、互いにシリアルに接続されている。信号入力側から１段目のＦＦ回路１４１ａは、復調器１２１から出力されたＤＥＭＯＵＴ信号と、制御回路１３０´から出力されたＰｏｗｅｒＵｐ／ＰｏｗｅｒＤｏｗｎ信号とを入力信号として受け取る。そして、２段目以降のＦＦ回路１４１ｂ〜１４１ｄは、直前の段のＦＦ回路から出力された信号と、ＰｏｗｅｒＵｐ／ＰｏｗｅｒＤｏｗｎ信号とを入力として受け取る。
【００４４】
ＡＮＤ回路１４２ａ〜１４２ｄは、ＦＦ回路１４１ａ〜１４１ｄの各出力と、予め決められた参照信号（コード）であるＲｅｆｅｒｅｎｃｅコードとのＡＮＤ値を出力する。また、ＡＮＤ回路１４２ｅは、ＡＮＤ回路１４２ａ〜１４２ｄの各出力値を入力して、それらのＡＮＤ値を出力する。
つまり、判定回路１２２´は、復調器１２１により復号されたＤＥＭＯＵＴ信号を入力として受け取り、互いにシリアルに並べられた各ＦＦ回路に入力される。そして、判定回路１２２´が、ＤＥＭＯＵＴ信号と予め決められたコードであるＲｅｆｅｒｅｎｃｅコードとが一致するか否かを判定する。その結果、２つのコードが一致した場合には、判定回路１２２´は、入力信号が入力されている（信号の強度が強い）と判定する。また、判定回路１２２´は、入力信号が入力されている（信号の強度が強い）と判定している間、判定結果信号であるＯＵＴ信号をＨレベルで出力し続ける。
【００４５】
一方、２つのコードが一致しなかった場合には、判定回路１２２´は、信号が入力されていない（信号の強度が弱い）と判定する。また、判定結果信号であるＯＵＴ信号をＬレベルで出力する。
【００４６】
（ＬＦ受信回路１０の回路動作）
最後に、図４を参照して、本実施形態に係るＬＦ受信回路１０の回路動作を説明する。
図４は、ＬＦ受信回路１０の各信号の強度（信号の有無）、各信号のレベル、および各回路の状態を示すタイミングチャートである。図４のタイミングチャートについても、図６のタイミングチャートと同様に、ＬＦ受信回路１０の各信号の強度、レベル、信号の有無を示している。また、図４を参照するとわかるように、ＬＦ受信回路１０においても、ＬＦ受信回路１００と同様に、一定の時間間隔でパワーダウン状態（非測定状態）からパワーアップ状態（測定状態）になった時に、入力信号を検知する。つまり、ＬＦ受信回路１００の各回路の動作状態は、パワーアップ状態からパワーダウン状態に遷移し、例えば数１００（μｓ）程度経過すると、再びパワーダウン状態からパワーアップ状態に遷移する。そして、ＬＦ受信回路１０は、各信号パスを介して入力信号をセンシング、つまり入力信号を検知し、入力信号の強度を測定し、信号が予め決められた所定のコードか否かを判定することによって、信号が入力されている（信号の強度が強い）信号パスを選択する。
【００４７】
始めに、制御回路１３０´は、Ｓｔａｒｔ信号がＬレベルからＨレベルに切り替えて出力する。これにより、ＬＦ受信回路１０の各回路は、パワーアップ状態になり、ＬＦ受信回路１０はＡＳＫ信号（Ｉｎｐｕｔ１信号）の受信を開始する。ここでは図示しないが、制御回路１３０´の内部のあるカウンタ１３１は、Ｓｔａｒｔ信号がＬレベルからＨレベルになると、値をカウントし始める。制御回路１３０´は、カウントされた値（カウント値）が所定の値になると、ＰｏｗｅｒＵｐ／ＰｏｗｅｒＤｏｗｎ信号をＬレベルからＨレベルに切り替えて出力する。同時に、制御回路１３０´は、Ｐａｔｈ１信号をＬレベルからＨレベルに切り替えて出力する。すると、信号パス選択回路１１１においては、信号パス選択用スイッチング素子１１１ａがＰａｔｈ１信号によりオン状態になり、信号パスＰ１が選択される。このため、ＬＦ受信回路１０は、信号パスＰ１を介して入力されるＡＳＫ信号（Ｉｎｐｕｔ１信号）の測定を開始する。
【００４８】
ゲイン段１１０は、信号パスＰ１からのＡＳＫ信号（Ｉｎｐｕｔ１）を増幅して、増幅信号であるＡＭＰＯＵＴ信号を出力する。復調器１２１は、ＡＭＰＯＵＴ信号を入力し、ＡＭＰＯＵＴ信号の復調を行う。そして、復調器１２１は、復調信号であるＤＥＭＯＵＴ信号を出力する。
判定回路１２２´は、復調されたＤＥＭＯＵＴ信号と、予め決められたコードであるＲｅｆｒｅｎｃｅコードとを比較する。そして、判定回路１２２´は、２つのコードが同じであるならば、入力信号が入力されている（信号の強度が強い）と判定する。そのとき、判定回路１２２´は、判定結果信号であるＯＵＴ信号ＬレベルからＨレベルに切り替えて出力する。
【００４９】
制御回路１３０´は、判定結果信号であるＯＵＴ信号をＨレベルで入力している間、ＰｏｗｅｒＵｐ／ＰｏｗｅｒＤｏｗｎ信号をＨレベルで維持し、同時に、Ｐａｔｈ１信号をＨレベルで維持する。このとき、ＰｏｗｅｒＵｐ／ＰｏｗｅｒＤｏｗｎ信号がＨレベルのままであるため、ＬＦ受信回路１０の各回路はパワーアップ状態のままである。また、Ｐａｔｈ１信号もＨレベルであるため、信号パスＰ１が選択されたままである。従って、ゲイン段１１０は、信号パスＰ１からのＡＳＫ信号（Ｉｎｐｕｔ１）を増幅し、復調器１２１は、ＡＳＫ信号（Ｉｎｐｕｔ１）の増幅信号を復調し続ける。
【００５０】
そして、ＡＳＫ信号（Ｉｎｐｕｔ１）が入力されなくなる（信号の強度が弱くなる）と、判定回路１２１は、予め決められたコードであるＲｅｆｒｅｎｃｅコードとＤＥＭＯＵＴ信号との比較から、信号が入力されていない（信号の強度が弱い）と判定し、判定結果信号であるＯＵＴ信号をＨレベルからＬレベルに切り替えて出力する。
【００５１】
制御回路１３０´は、判定結果信号であるＯＵＴ信号がＬレベルになったことより、ＰｏｗｅｒＵｐ／ＰｏｗｅｒＤｏｗｎ信号をＨレベルからＬレベルに切り替えて出力する。同時に、制御回路１３０´は、Ｐａｔｈ１信号をＨレベルからＬレベルに切り替えて出力する。このとき、ＬＦ受信回路１０の各回路は、ＰｏｗｅｒＵｐ／ＰｏｗｅｒＤｏｗｎ信号によりパワーダウン状態になり、信号パス選択用スイッチング素子１１１ａは、Ｐａｔｈ１信号によりオフ状態になる。ここで、制御回路１３０´は、カウントしていたカウント値を一旦リセットし、新たにカウントし始める。
【００５２】
ここまでのＬＦ受信回路１０の回路動作については、上記で説明したＬＦ受信回路１００の回路動作と同じであった。しかしながら、次のパワーアップ状態になった時のＬＦ受信回路１０の信号パスの選択の仕方が、ＬＦ受信回路１００と異なる。
制御回路１３０´は、カウントしているカウンタ値が再び所定の値になった時に、ＰｏｗｅｒＵｐ／ＰｏｗｅｒＤｏｗｎ信号がＬレベルからＨレベルに切り替えて出力する。同時に、制御回路１３０´は、Ｐａｔｈ１信号をＬレベルからＨレベルに切り替えて出力する。このとき、ＬＦ受信回路１００においては、制御回路１３０が信号パスＰ１を選択した後、次のパワーアップ状態になった時に、制御回路１３０が信号パスＰ２を選択するように制御していた。ところが、ＬＦ受信回路１０においては、制御回路１３０´が１回のパワーアップ動作状態である期間内において、複数の信号パスのうちの別の１つの信号パスも選択されるように制御している。
【００５３】
まず、ＰｏｗｅｒＵｐ／ＰｏｗｅｒＤｏｗｎ信号がＨレベルになったことより、ＬＦ受信回路１０の各回路はパワーアップ状態になる。また、Ｐａｔｈ１信号がＨレベルになったことにより、信号パス選択用スイッチング素子１１１ａがオン状態になり、信号パスＰ１が選択される。このため、ＬＦ受信回路１０は、信号パスＰ１を介して入力されるＡＳＫ信号（Ｉｎｐｕｔ１信号）の測定を開始する。
【００５４】
そして、信号パスＰ１からのＡＳＫ信号（Ｉｎｐｕｔ１）を増幅して、増幅信号であるＡＭＰＯＵＴ信号を出力する。復調器１２１は、ＡＭＰＯＵＴ信号を入力し、ＡＭＰＯＵＴ信号の復調を行う。
しかしながら、ＡＳＫ信号（Ｉｎｐｕｔ１）の信号が入力されていない、つまりＡＳＫ信号（Ｉｎｐｕｔ１）の強度が弱い場合には、復調器１２１は、予め決められたコードであるＲｅｆｒｅｎｃｅコードと同じＤＥＭＯＵＴ信号を生成するができない。従って、判定回路１２２は、信号が入力されていない、つまりＡＳＫ信号（Ｉｎｐｕｔ１）が弱いと判定して、判定結果信号であるＯＵＴ信号をＬレベルで出力する。
【００５５】
このとき、ＬＦ受信回路１００においては、制御回路１３０がＬＦ受信回路１００の各回路をすぐにパワーダウン状態にしてしまい、Ｐａｔｈ２信号、Ｐａｔｈ３信号を測定するように制御していなかった。ところが、ＬＦ受信回路１０においては、制御回路１３０´が１回のパワーアップ動作状態である期間内において、複数の信号パスのうちの別の１つの信号パスが選択されるように制御している。このため、制御回路１３０は、入力された判定結果信号ＯＵＴがＬレベルであることによって、ＰｏｗｅｒＵｐ／ＰｏｗｅｒＤｏｗｎ信号をすぐさまＨレベルからＬレベルに切り替えて出力しない。よって、ＬＦ受信回路１０の各回路は、パワーダウン状態にならずに、パワーアップ状態のままである。なお、選択済パス記憶部１３４は、ＬＦ受信回路１０の各回路の１回のパワーアップ状態の動作期間内（１回のパスサーチ動作期間）において、信号パスＰ１が既に選択されたことを一時的に保持しておく。
【００５６】
そして、上記で説明した信号パスＰ１を選択した時の同じ要領で、同時に、制御回路１３０´は、Ｐａｔｈ２信号をＬレベルからＨレベルに切り替えて出力する。すると、信号パス選択回路１１１においては、信号パス選択用スイッチング素子１１１ｂがＰａｔｈ２信号によりオン状態になり、信号パスＰ２が選択される。このため、ＬＦ受信回路１０は、信号パスＰ２を介して入力されるＡＳＫ信号（Ｉｎｐｕｔ２信号）の測定を開始する。
【００５７】
但し、図４を参照するとわかるように、ＡＳＫ信号（Ｉｎｐｕｔ２信号）についても、ＡＳＫ信号（Ｉｎｐｕｔ２）が入力されなくなる（信号の強度が弱くなる）と、判定回路１２１は、予め決められたコードであるＲｅｆｒｅｎｃｅコードとＤＥＭＯＵＴ信号との比較から、信号が入力されていない（信号の強度が弱い）と判定する。このため、判定回路１２１は、判定結果信号であるＯＵＴ信号をＬレベルで出力する。
【００５８】
この段階で、信号パスＰ１，Ｐ２は選択されているが、信号パスＰ３がまだ選択されていない。このため、制御回路１３０は、入力された判定結果信号ＯＵＴがＬレベルであるが、ＰｏｗｅｒＵｐ／ＰｏｗｅｒＤｏｗｎ信号をすぐさまＨレベルからＬレベルに切り替えて出力しない。よって、ＬＦ受信回路１０の各回路は、パワーアップ状態のままである。なお、選択済パス記憶部１３４は、ＬＦ受信回路１０の各回路の１回のパワーアップ状態の動作期間内（１回のパスサーチ動作期間）において、信号パスＰ１，Ｐ２が既に選択されたことを一時的に保持しておく。これにより、信号パスＰ１〜Ｐ３のうちのどの信号パスまでが選択されたのかがわかる。
【００５９】
そして、上記で説明した信号パスＰ１，Ｐ２を選択した時の同じ要領で、制御回路１３０´は、Ｐａｔｈ３信号をＬレベルからＨレベルに切り替えて出力する。すると、信号パス選択回路１１１においては、信号パス選択用スイッチング素子１１１ｃがＰａｔｈ３信号によりオン状態になり、信号パスＰ３が選択される。このため、ＬＦ受信回路１０は、信号パスＰ３を介して入力されるＡＳＫ信号（Ｉｎｐｕｔ３信号）の測定を開始する。このとき、図４を参照するとわかるように、ＡＳＫ信号（Ｉｎｐｕｔ３信号）が入力されている。
【００６０】
ゲイン段１１０は、信号パスＰ３からのＡＳＫ信号（Ｉｎｐｕｔ３）を増幅して、増幅信号であるＡＭＰＯＵＴ信号を出力する。復調器１２１は、ＡＭＰＯＵＴ信号を入力し、ＡＭＰＯＵＴ信号の復調を行う。そして、復調器１２１は、復調信号であるＤＥＭＯＵＴ信号を出力する。
判定回路１２２´は、復調されたＤＥＭＯＵＴ信号と、予め決められたコードであるＲｅｆｒｅｎｃｅコードとを比較して、それらが同じであるならば、信号が入力されている（信号の強度が強い）と判定する。そして、判定回路１２２´は、判定結果信号であるＯＵＴ信号ＬレベルからＨレベルに切り替えて出力する。
【００６１】
制御回路１３０´は、判定結果信号であるＯＵＴ信号をＨレベルで入力すると、ＰｏｗｅｒＵｐ／ＰｏｗｅｒＤｏｗｎ信号をＨレベルのままで維持し、同時に、Ｐａｔｈ３信号をＨレベルのままで維持する。このとき、ＰｏｗｅｒＵｐ／ＰｏｗｅｒＤｏｗｎ信号がＨレベルのままであるため、ＬＦ受信回路１０の各回路はパワーアップ状態のままである。また、Ｐａｔｈ３信号もＨレベルであるため、信号パスＰ３が選択されたままである。そして、ゲイン段１１０は、信号パスＰ３からのＡＳＫ信号（Ｉｎｐｕｔ３）を増幅し、復調器１２１は、ＡＳＫ信号（Ｉｎｐｕｔ３）の増幅信号を復調し続ける。
【００６２】
そして、ＡＳＫ信号（Ｉｎｐｕｔ３）が入力されなくなる（信号の強度が弱くなる）と、判定回路１２２´は、予め決められたコードであるＲｅｆｒｅｎｃｅコードとＤＥＭＯＵＴ信号との比較結果から、信号が入力されていない（信号の強度が弱い）と判定する。そして、判定回路１２２´は、判定結果信号であるＯＵＴ信号をＨレベルからＬレベルに切り替えて出力する。
【００６３】
さらに、制御回路１３０´は、入力された判定結果信号であるＯＵＴ信号がＬレベルになったことより、ＰｏｗｅｒＵｐ／ＰｏｗｅｒＤｏｗｎ信号をＨレベルからＬレベルに切り替えて出力する。同時に、制御回路１３０´は、Ｐａｔｈ３信号をＨレベルからＬレベルに切り替えて出力する。このとき、ＬＦ受信回路１０の各回路は、ＰｏｗｅｒＵｐ／ＰｏｗｅｒＤｏｗｎ信号によりパワーダウン状態になり、信号パス選択用スイッチング素子１１１ｃは、Ｐａｔｈ３信号によりオフ状態になる。ここで、制御回路１３０´は、カウントしていたカウント値を一旦リセットし、新たにカウントし始める。
【００６４】
上記で説明したように、ＬＦ受信回路１０においては、制御回路１３０´が１回のパワーアップ動作状態である期間内において、複数の信号パスのうちの別の１つの信号パスが選択されるように制御している。そして、ＬＦ受信回路１０においては、選択中の信号パスから信号が入力されている時には、その選択中の信号パスがそのまま選択され続けるように制御している。なお、この後のパワーアップ状態になった時のＬＦ受信回路１０の動作についても、上記で説明した動作と同じである。
【００６５】
再び、ＬＦ受信回路１０の各回路がパワーアップ状態（測定状態）になると、ＬＦ受信回路１０では信号パスＰ１が選択される。ＬＦ受信回路１００においては、制御回路１３０が信号パスＰ３を選択し、信号パスＰ３を介して入力されるＡＳＫ信号（Ｉｎｐｕｔ３信号）の測定を開始した。ところが、ＬＦ受信回路１０においては、制御回路１３０´が１回のパワーアップ動作状態である期間内において、複数の信号パスのうちの別の１つの信号パスが選択されるように制御している。このため、制御回路１３０´は、信号パスＰ１から順番に信号パスを選択していく。図４を参照するとわかるように、ＡＳＫ信号（Ｉｎｐｕｔ１〜Ｉｎｐｕｔ３）のうち、ＡＳＫ信号（Ｉｎｐｕｔ２）が入力されている。このため、ＬＦ受信回路１０においては、ＡＳＫ信号（Ｉｎｐｕｔ２）が入力されている間、信号パスＰ２が選択されたままになる。そして、ゲイン段１１０は、信号パスＰ２からのＡＳＫ信号（Ｉｎｐｕｔ２）を増幅し、復調器１２１は、ＡＳＫ信号（Ｉｎｐｕｔ２）の増幅信号を復調し続ける。
【００６６】
そして、ＡＳＫ信号（Ｉｎｐｕｔ２）が入力されなくなる（信号の強度が弱くなる）と、判定回路１２２´は、予め決められたコードであるＲｅｆｒｅｎｃｅコードとＤＥＭＯＵＴ信号との比較から、信号が入力されていない（信号の強度が弱い）と判定し、判定結果信号であるＯＵＴ信号をＨレベルからＬレベルに切り替えて出力する。
制御回路１３０´は、判定結果信号であるＯＵＴ信号がＬレベルになったことより、ＰｏｗｅｒＵｐ／ＰｏｗｅｒＤｏｗｎ信号をＨレベルからＬレベルに切り替えて出力する。同時に、制御回路１３０´は、Ｐａｔｈ２信号をＨレベルからＬレベルに切り替えて出力する。このとき、ＬＦ受信回路１０の各回路は、ＰｏｗｅｒＵｐ／ＰｏｗｅｒＤｏｗｎ信号によりパワーダウン状態になり、信号パス選択用スイッチング素子１１１ｂは、Ｐａｔｈ２信号によりオフ状態になる。
【００６７】
なお、ＬＦ受信回路１０の各回路の１回のパワーアップ状態の動作期間内（１回のパスサーチ動作期間）において、制御回路１３０´によって複数の信号パスのうちの別の１つの信号パスが選択（パスサーチ）されても、ＡＳＫ信号（Ｉｎｐｕｔ１〜Ｉｎｐｕｔ３）が何も入力されない（信号の強度が弱い）場合がある。このような場合には、制御回路１３０´のシーケンサ１３２が、ＡＳＫ信号（Ｉｎｐｕｔ１〜Ｉｎｐｕｔ３）が何も入力されないと判断した後で、ＰｏｗｅｒＵｐ／ＰｏｗｅｒＤｏｗｎ信号によりＬＦ受信回路１０の各回路をパワーダウン状態にすれば良い。
【００６８】
（本実施形態に係るＬＦ受信回路１０のまとめ）
以上説明したように、本実施形態に係るＬＦ受信回路１０においては、制御回路１３０´が、ＬＦ受信回路１０の各回路の１回のパワーアップ状態の動作期間内（１回のパスサーチ動作期間）において、複数の信号パスのうちの別の１つの信号パスが選択（パスサーチ）されるように制御する。同時に、制御回路１３０´は、復調回路１２１により復調された信号が正しいと判定回路１２２´により判定された時、その時点で信号パス選択回路１１１により選択されている信号パスがそのまま選択され続けるように制御する。
【００６９】
これにより、各信号パスにおける入力信号の強度が時間の経過とともに変化する場合であっても、ＬＦ受信回路１０は、入力信号が入力されている信号パスを選択することができる。その結果、各パスにおける入力信号の強度が時間の経過とともに変化したとしても、ＬＦ受信回路１０は、従来の一般的なＬＦ受信回路よりも高い検知率で、本来センシングするべき入力信号（ＡＳＫ信号）をセンシングすることができる。
【００７０】
なお、本発明の範囲は、図示・記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【００７１】
一例であるが、図４に示したタイミングチャートでは、説明の都合上、１回のパワーアップ動作状態である期間内、つまりパスサーチの動作が間欠する一動作期間内において、複数の信号パスＰ１〜Ｐ３が１回ずつ選択されるが、複数回選択されても良い。また、信号パスを選択する順番は、信号パスＰ１、信号パスＰ２、信号パスＰ３、信号パスＰ１、……の順番であったが、これ以外の任意の順番であって良い。また、信号パスの数にあっても、信号パスＰ１〜Ｐ３の３つに限定されず、任意の数であって良い。さらに、一例として複数の信号パスＰ１〜Ｐ６がある場合には、信号パスＰ１〜Ｐ３と信号パスＰ４〜Ｐ６とに分けて、信号パスを選択しても良い。
【産業上の利用可能性】
【００７２】
本発明に係るＬＦ受信回路は、入退出管理システム等の装置内部のＩＣ等として用いられるＬＦ受信回路として用いることができる。また、本発明に係るＬＦ受信回路の制御方法は、そのＬＦ受信回路の制御回路の動作に用いることができる。
【符号の説明】
【００７３】
１０……ＬＦ受信回路
１１０……ゲイン段
１１１……信号パス選択回路
１１２……ゲインアンプ
１１１ａ〜１１１ｃ……信号パス選択用スイッチング素子
１２０……復調段
１２１……復調器
１２２´……判定回路
１３０´……制御回路
１３１……カウンタ
１３２……シーケンサ
１３３……パス選択制御部
１３４……選択済パス記憶部
１３５……パワー制御部
１４１ａ〜１４１ｄ……フリップフロップ（ＦＦ）回路
１４２ａ〜１４２ｅ……ＡＮＤ回路
【図１】
2013097729.tif 000003
【図２】
2013097729.tif 000004
【図３】
2013097729.tif 000005
【図４】
2013097729.tif 000006
【図５】
2013097729.tif 000007
【図６】
2013097729.tif 000008